(57)【要約】【課題】ＩＰサービスやイーサネット（Ｒ）サービスといった他のサービスとＡＴＭサービスとをＳＯＥＮＴ／ＳＤＨに同時に収容可能なＡＴＭ通信装置を提供する。【解決手段】ＧＦＰ収容手段１１はＩＰサービス収容のためのポート１０１の信号をＧＦＰフレームに収容する。ＧＦＰ収容手段１２はイーサネット（Ｒ）サービス収容のためのポート１０２の信号をＧＦＰフレームに収容する。ＧＦＰ収容手段１３はＡＴＭサービス収容のためのポート１０３の信号をＧＦＰフレームに収容する。ＳＯＮＥＴ／ＳＤＨ収容手段１４はＧＦＰ収容手段１１〜１３でそれぞれＧＦＰフレームに収容されたＩＰパケット、イーサネット（Ｒ）フレーム、ＡＴＭセルをＳＯＮＥＴ／ＳＤＨフレームに収容する。【選択図】　　　図１
2004048210.tif 000002
【特許請求の範囲】
【請求項１】
ＩＰ（Ｉｎｔｅｒｎｅｔ　Ｐｒｏｔｏｃｏｌ）サービス収容のための第１のポートの信号をＧＦＰ（Ｇｅｎｅｒｉｃ　Ｆｒａｍｉｎｇ　Ｐｒｏｃｅｄｕｒｅ）フレームに収容する第１の収容手段と、ＬＡＮ（Ｌｏｃａｌ　Ａｒｅａ　Ｎｅｔｗｏｒｋ）サービス収容のための第２のポートの信号を前記ＧＦＰフレームに収容する第２の収容手段と、ＡＴＭ（ＡｓｙｎｃｈｒｏｎｏｕｓＴｒａｎｓｆｅｒ　Ｍｏｄｅ）サービス収容のための第３のポートの信号を前記ＧＦＰフレームに収容する第３の収容手段とを有し、それぞれ前記ＧＦＰフレームに収容されたＩＰパケット、ＬＡＮフレーム、ＡＴＭセルをＳＯＮＥＴ／ＳＤＨ（Ｓｙｎｃｈｒｏｎｏｕｓ　Ｏｐｔｉｃａｌ　ＮＥＴｗｏｒｋ／Ｓｙｎｃｈｒｏｎｏｕｓ　Ｄｉｇｉｔａｌ　Ｈｉｅｒａｒｃｈｙ）フレームに収容することを特徴とするＡＴＭ通信装置。
【請求項２】
ＩＰ（Ｉｎｔｅｒｎｅｔ　Ｐｒｏｔｏｃｏｌ）サービス収容のための第１のポートの信号をＧＦＰ（Ｇｅｎｅｒｉｃ　Ｆｒａｍｉｎｇ　Ｐｒｏｃｅｄｕｒｅ）フレームに収容する第１の収容手段と、ＬＡＮ（Ｌｏｃａｌ　Ａｒｅａ　Ｎｅｔｗｏｒｋ）サービス収容のための第２のポートの信号を前記ＧＦＰフレームに収容する第２の収容手段と、ＡＴＭ（ＡｓｙｎｃｈｒｏｎｏｕｓＴｒａｎｓｆｅｒ　Ｍｏｄｅ）サービス収容のための第３のポートの信号を前記ＧＦＰフレームに収容する第３の収容手段とを有し、それぞれ前記ＧＦＰフレームに収容されたＩＰパケット、ＬＡＮフレーム、ＡＴＭセルをＯＴＮ（Ｏｐｔｉｃａｌ　Ｔｒａｎｓｐｏｒｔ　Ｎｅｔｗｏｒｋ）フレームに収容することを特徴とするＡＴＭ通信装置。
【請求項３】
前記ＧＦＰフレームは、ＩＴＵ−Ｔ勧告Ｇ．　７０４１で規定されていることを特徴とする請求項１または請求項２記載のＡＴＭ通信装置。
【請求項４】
前記ＯＴＮフレームは、ＩＴＵ−Ｔ勧告Ｇ．　７０９で規定されていることを特徴とする請求項２記載のＡＴＭ通信装置。
【請求項５】
ＩＰ（Ｉｎｔｅｒｎｅｔ　Ｐｒｏｔｏｃｏｌ）パケットと、ＬＡＮ（Ｌｏｃａｌ　Ａｒｅａ　Ｎｅｔｗｏｒｋ）フレームと、ＡＴＭ（Ａｓｙｎｃｈｒｏｎｏｕｓ　Ｔｒａｎｓｆｅｒ　Ｍｏｄｅ）セルとをＧＦＰ（Ｇｅｎｅｒｉｃ　Ｆｒａｍｉｎｇ　Ｐｒｏｃｅｄｕｒｅ）フレームを介してＳＯＮＥＴ／ＳＤＨ（Ｓｙｎｃｈｒｏｎｏｕｓ　Ｏｐｔｉｃａｌ　ＮＥＴｗｏｒｋ／Ｓｙｎｃｈｒｏｎｏｕｓ　Ｄｉｇｉｔａｌ　Ｈｉｅｒａｒｃｈｙ）フレームに収容することを特徴とするＡＴＭセル転送方法。
【請求項６】
ＩＰ（Ｉｎｔｅｒｎｅｔ　Ｐｒｏｔｏｃｏｌ）パケットと、ＬＡＮ（Ｌｏｃａｌ　Ａｒｅａ　Ｎｅｔｗｏｒｋ）フレームと、ＡＴＭ（Ａｓｙｎｃｈｒｏｎｏｕｓ　Ｔｒａｎｓｆｅｒ　Ｍｏｄｅ）セルとをＧＦＰ（Ｇｅｎｅｒｉｃ　Ｆｒａｍｉｎｇ　Ｐｒｏｃｅｄｕｒｅ）フレームを介してＯＴＮ（Ｏｐｔｉｃａｌ　Ｔｒａｎｓｐｏｒｔ　Ｎｅｔｗｏｒｋ）フレームに収容することを特徴とするＡＴＭセル転送方法。
【請求項７】
前記ＧＦＰフレームは、ＩＴＵ−Ｔ勧告Ｇ．　７０４１で規定されていることを特徴とする請求項５または請求項６記載のＡＴＭセル転送方法。
【請求項８】
前記ＯＴＮフレームは、ＩＴＵ−Ｔ勧告Ｇ．　７０９で規定されていることを特徴とする請求項６記載のＡＴＭセル転送方法。
【発明の詳細な説明】
【０００１】
【発明の属する技術分野】
本発明はＡＴＭ通信装置及びそれに用いるＡＴＭセル転送方法に関し、特にＡＴＭ（Ａｓｙｎｃｈｒｏｎｏｕｓ　Ｔｒａｎｓｆｅｒ　Ｍｏｄｅ）通信装置におけるＡＴＭセルの処理方法に関する。
【０００２】
【従来の技術】
従来、ＡＴＭ通信装置においては、図３に示すように、ＩＰ（Ｉｎｔｅｒｎｅｔ　Ｐｒｏｔｏｃｏｌ）パケットがＰＰＰ（Ｐ０ｉｎｔ−ｔｏ−Ｐｏｉｎｔ　Ｐｒｏｔｏｃｏｌ）を介してＳＯＮＥＴ／ＳＤＨ（Ｓｙｎｃｈｒｏｎｏｕｓ　Ｏｐｔｉｃａｌ　ＮＥＴｗｏｒｋ／Ｓｙｎｃｈｒｏｎｏｕｓ　Ｄｉｇｉｔａｌ　Ｈｉｅｒａｒｃｈｙ）に収容され、イーサネット（Ｒ）フレームがＧＦＰ（Ｇｅｎｅｒｉｃ　Ｆｒａｍｉｎｇ　Ｐｒｏｃｅｄｕｒｅ）を介してＳＯＮＥＴ／ＳＤＨに収容されている。
【０００３】
一方、ＡＴＭレイヤはＳＯＮＥＴ／ＳＤＨレイヤのすぐ上に位置している。これは、ＡＴＭセルがＩＴＵ−Ｔ（Ｉｎｔｅｒｎａｔｉｏｎａｌ　Ｔｅｌｅｃｏｍｍｕｎｉｃａｔｉｏｎ　Ｕｎｉｏｎ−Ｔｅｌｅｃｏｍｍｕｎｉｃａｔｉｏｎ　ｓｔａｎｄａｒｚａｔｉｏｎ　ｓｅｃｔｏｒ）勧告Ｉ．４３２にしたがってＳＯＮＥＴ／ＳＤＨに直接収容されることを示している。
【０００４】
【発明が解決しようとする課題】
ところで、上記のように、ＳＯＮＥＴ／ＳＤＨにＡＴＭセルが直接収容されるということは、例えばＩＰサービスやイーサネット（Ｒ）サービスといった他のサービスと同時に、ＡＴＭサービスを収容することができないことを意味する。すなわち、ＳＯＮＥＴ／ＳＤＨのペイロードにＡＴＭセルが直接収容されるため、他のサービスを収容する余地がないのである。
【０００５】
そこで、本発明の目的は上記の問題点を解消し、ＩＰサービスやイーサネット（Ｒ）サービスといった他のサービスとＡＴＭサービスとを所定フレームに同時に収容することができるＡＴＭ通信装置及びそれに用いるＡＴＭセル転送方法を提供することにある。
【０００６】
【課題を解決するための手段】
本発明によるＡＴＭ通信装置は、ＩＰ（Ｉｎｔｅｒｎｅｔ　Ｐｒｏｔｏｃｏｌ）サービス収容のための第１のポートの信号をＧＦＰ（Ｇｅｎｅｒｉｃ　Ｆｒａｍｉｎｇ　Ｐｒｏｃｅｄｕｒｅ）フレームに収容する第１の収容手段と、ＬＡＮ（Ｌｏｃａｌ　Ａｒｅａ　Ｎｅｔｗｏｒｋ）サービス収容のための第２のポートの信号を前記ＧＦＰフレームに収容する第２の収容手段と、ＡＴＭ（Ａｓｙｎｃｈｒｏｎｏｕｓ　Ｔｒａｎｓｆｅｒ　Ｍｏｄｅ）サービス収容のための第３のポートの信号を前記ＧＦＰフレームに収容する第３の収容手段とを備え、それぞれ前記ＧＦＰフレームに収容されたＩＰパケット、ＬＡＮフレーム、ＡＴＭセルをＳＯＮＥＴ／ＳＤＨ（Ｓｙｎｃｈｒｏｎｏｕｓ　Ｏｐｔｉｃａｌ　ＮＥＴｗｏｒｋ／Ｓｙｎｃｈｒｏｎｏｕｓ　Ｄｉｇｉｔａｌ　Ｈｉｅｒａｒｃｈｙ）フレームに収容している。
【０００７】
本発明による他のＡＴＭ通信装置は、ＩＰ（Ｉｎｔｅｒｎｅｔ　Ｐｒｏｔｏｃｏｌ）サービス収容のための第１のポートの信号をＧＦＰ（Ｇｅｎｅｒｉｃ　Ｆｒａｍｉｎｇ　Ｐｒｏｃｅｄｕｒｅ）フレームに収容する第１の収容手段と、ＬＡＮ（Ｌｏｃａｌ　Ａｒｅａ　Ｎｅｔｗｏｒｋ）サービス収容のための第２のポートの信号を前記ＧＦＰフレームに収容する第２の収容手段と、ＡＴＭ（Ａｓｙｎｃｈｒｏｎｏｕｓ　Ｔｒａｎｓｆｅｒ　Ｍｏｄｅ）サービス収容のための第３のポートの信号を前記ＧＦＰフレームに収容する第３の収容手段とを備え、それぞれ前記ＧＦＰフレームに収容されたＩＰパケット、ＬＡＮフレーム、ＡＴＭセルをＯＴＮ（Ｏｐｔｉｃａｌ　Ｔｒａｎｓｐｏｒｔ　Ｎｅｔｗｏｒｋ）フレームに収容している。
【０００８】
本発明によるＡＴＭセル転送方法は、ＩＰ（Ｉｎｔｅｒｎｅｔ　Ｐｒｏｔｏｃｏｌ）パケットと、ＬＡＮ（Ｌｏｃａｌ　Ａｒｅａ　Ｎｅｔｗｏｒｋ）フレームと、ＡＴＭ（Ａｓｙｎｃｈｒｏｎｏｕｓ　Ｔｒａｎｓｆｅｒ　Ｍｏｄｅ）セルとをＧＦＰ（Ｇｅｎｅｒｉｃ　Ｆｒａｍｉｎｇ　Ｐｒｏｃｅｄｕｒｅ）フレームを介してＳＯＮＥＴ／ＳＤＨ（Ｓｙｎｃｈｒｏｎｏｕｓ　Ｏｐｔｉｃａｌ　ＮＥＴｗｏｒｋ／Ｓｙｎｃｈｒｏｎｏｕｓ　Ｄｉｇｉｔａｌ　Ｈｉｅｒａｒｃｈｙ）フレームに収容している。
【０００９】
本発明による他のＡＴＭセル転送方法は、ＩＰ（Ｉｎｔｅｒｎｅｔ　Ｐｒｏｔｏｃｏｌ）パケットと、ＬＡＮ（Ｌｏｃａｌ　Ａｒｅａ　Ｎｅｔｗｏｒｋ）フレームと、ＡＴＭ（Ａｓｙｎｃｈｒｏｎｏｕｓ　Ｔｒａｎｓｆｅｒ　Ｍｏｄｅ）セルとをＧＦＰ（Ｇｅｎｅｒｉｃ　Ｆｒａｍｉｎｇ　Ｐｒｏｃｅｄｕｒｅ）フレームを介してＯＴＮ（Ｏｐｔｉｃａｌ　Ｔｒａｎｓｐｏｒｔ　Ｎｅｔｗｏｒｋ）フレームに収容している。
【００１０】
すなわち、本発明のＡＴＭ通信装置は、ＡＴＭ（Ａｓｙｎｃｈｒｏｎｏｕｓ　Ｔｒａｎｓｆｅｒ　Ｍｏｄｅ）セルを転送するネットワークにおいて、ＡＴＭセルに対して、ＩＰ（Ｉｎｔｅｒｎｅｔ　Ｐｒｏｔｏｃｏｌ）パケットやＬＡＮ（Ｌｏｃａｌ　Ａｒｅａ　Ｎｅｔｗｏｒｋ）［例えば、イーサネット（Ｒ）］フレームと同じ処理を行うようにしている。
【００１１】
より具体的に説明すると、本発明のＡＴＭ通信装置では、ＩＰパケットと、イーサネット（Ｒ）フレームと、ＡＴＭセルとをＧＦＰ（Ｇｅｎｅｒｉｃ　Ｆｒａｍｉｎｇ　Ｐｒｏｃｅｄｕｒｅ）を介してＳＯＮＥＴ／ＳＤＨ（Ｓｙｎｃｈｒｏｎｏｕｓ　Ｏｐｔｉｃａｌ　ＮＥＴｗｏｒｋ／Ｓｙｎｃｈｒｏｎｏｕｓ　Ｄｉｇｉｔａｌ　Ｈｉｅｒａｒｃｈｙ）に収容している。
【００１２】
これによって、本発明のＡＴＭ通信装置では、ＩＰパケットやイーサネット（Ｒ）フレームと同じ方法で、ＡＴＭセルをＳＯＮＥＴ／ＳＤＨに収容しているので、将来、ＩＰサービス、イーサネット（Ｒ）サービス、ＡＴＭサービスの割合が変動しても、ネットワークそのものは変更することなく、そのまま使用することが可能となる。
【００１３】
したがって、従来のＡＴＭ通信装置における上記のような制約を排し、ＩＰサービスやイーサネット（Ｒ）サービスといった他のサービスと、ＡＴＭサービスとをＳＯＥＮＴ／ＳＤＨに同時に収容することが可能となる。
【００１４】
また、本発明では、ＡＴＭサービスを、１本のＳＯＮＥＴ／ＳＤＨのパス中に、ＩＰサービス、イーサネット（Ｒ）サービスと混在収容することが可能となり、ＩＰサービス、イーサネット（Ｒ）サービス、ＡＴＭサービスの収容の割合が変動しても、ＡＴＭ通信装置には何ら変更が不要であり、装置の置き換えをせずに、そのままサービスを継続することが可能となる。
【００１５】
【発明の実施の形態】
次に、本発明の一実施例について図面を参照して説明する。図１は本発明の一実施例によるＡＴＭ通信装置の構成を示すブロック図である。図１において、ＡＴＭ通信装置１はＧＦＰ（Ｇｅｎｅｒｉｃ　Ｆｒａｍｉｎｇ　Ｐｒｏｃｅｄｕｒｅ）収容手段１１〜１３と、ＳＯＮＥＴ／ＳＤＨ（Ｓｙｎｃｈｒｏｎｏｕｓ　Ｏｐｔｉｃａｌ　ＮＥＴｗｏｒｋ／Ｓｙｎｃｈｒｏｎｏｕｓ　Ｄｉｇｉｔａｌ　Ｈｉｅｒａｒｃｈｙ）収容手段１４とから構成されている。
【００１６】
ＧＦＰ収容手段１１はポート１０１に接続され、ポート１０１の信号をＧＦＰフレームに収容する。ポート１０１はＩＰ（Ｉｎｔｅｒｎｅｔ　Ｐｒｏｔｏｃｏｌ）サービス収容のためのポートである。
【００１７】
ＧＦＰ収容手段１２はポート１０２に接続され、ポート１０２の信号をＧＦＰフレームに収容する。ポート１０２はＬＡＮ（Ｌｏｃａｌ　Ａｒｅａ　Ｎｅｔｗｏｒｋ）［例えば、イーサネット（Ｒ）等があるが、以下、イーサネット（Ｒ）を例にとって説明する］サービス収容のためのポートである。
【００１８】
ＧＦＰ収容手段１３はポート１０３に接続され、ポート１０３の信号をＧＦＰフレームに収容する。ポート１０３はＡＴＭ（Ａｓｙｎｃｈｒｏｎｏｕｓ　Ｔｒａｎｓｆｅｒ　Ｍｏｄｅ）サービス収容のためのポートである。
【００１９】
ＳＯＮＥＴ／ＳＤＨ収容手段１４はＧＦＰ収容手段１１〜１３でそれぞれＧＦＰフレームに収容されたＩＰパケット、イーサネット（Ｒ）フレーム、ＡＴＭセルをＳＯＮＥＴ／ＳＤＨフレームに収容し、ポート１０４に出力する。尚、ＧＦＰ収容手段１１〜１３及びＳＯＮＥＴ／ＳＤＨ収容手段１４の構成は当業者によってよく知られた技術であり、かつその構成は本発明とは直接に関係しないため、その詳細な構成についての説明は省略する。
【００２０】
このように、本実施例では、ＩＰパケットやイーサネット（Ｒ）フレームと同じ方法で、ＡＴＭセルをＳＯＮＥＴ／ＳＤＨフレームに収容しているので、将来、ＩＰサービス、イーサネット（Ｒ）サービス、ＡＴＭサービスの割合が変動しても、ネットワークそのものは変更することなく、そのまま使用することができる。
【００２１】
尚、ＧＦＰフレームには１つまたは複数のＡＴＭセルを収容することが可能である。また、これらＩＰパケット、イーサネット（Ｒ）フレーム、ＡＴＭセルが一旦、ＧＦＰフレーム内に収容されると、その伝送においてはＧＦＰフレームレベルの多重を行うだけであり、その収容内容が何かを考えることなく、ＧＦＰフレームのみを扱えばよい。
【００２２】
図２は本発明の一実施例によるＳＯＮＥＴ／ＳＤＨフレームの構成を示す図である。図２において、ＩＰパケット、イーサネット（Ｒ）フレーム、ＡＴＭセルはそれぞれＧＦＰフレーム内に収容され、その後にＳＯＮＥＴ／ＳＤＨフレームに収容されている。
【００２３】
これら図１及び図２を参照して本発明の一実施例によるＡＴＭ通信装置１及びＳＯＮＥＴ／ＳＤＨフレームについて説明する。
【００２４】
ポート１０１はＩＰサービスを収容するために用いられ、例えばＩＥＴＦ（Ｉｎｔｅｒｎｅｔ　Ｅｎｇｉｎｅｅｒｉｎｇ　Ｔａｓｋ　Ｆｏｒｃｅ）のＲＦＣ（Ｒｅｑｕｅｓｔ　Ｆｏｒ　Ｃｏｍｍｅｎｔｓ）１６１９で規定されているＰＰＰ（Ｐｏｉｎｔ　ｔｏ　Ｐｏｉｎｔ　Ｐｒｏｔｏｃｏｌ）　ｏｖｅｒ　ＳＯＮＥＴ／ＳＤＨによってＩＰパケットが入力される。
【００２５】
また、ポート１０２はイーサネット（Ｒ）サービスを収容するために用いられ、例えば広く用いられている１０Ｂａｓｅ−Ｔ、１００Ｂａｓｅ−Ｔ、１０００Ｂａｓｅ−ＳＸ等によってイーサネット（Ｒ）フレームが入力される。
【００２６】
さらに、ポート１０３はＡＴＭサービスを収容するために用いられ、例えばＩＴＵ−Ｔ勧告Ｉ．４３２で規定されているようにＳＤＨフレームによってＡＴＭセルが入力される。
【００２７】
これらのサービスをＳＯＮＥＴ／ＳＤＨに収容する場合には、ＩＰパケットの場合、通常、ＰＰＰ　ｏｖｅｒ　ＳＯＮＥＴ／ＳＤＨによって、またＡＴＭセルの場合、通常、ＩＴＵ−Ｔ勧告Ｉ．　４３２によってそれぞれ収容される。しかしながら、ＰＰＰ　ｏｖｅｒ　ＳＯＮＥＴ／ＳＤＨとＩ．　４３２とでは互換性がまったくなく、１本のＳＤＨ／ＳＯＮＥＴパスにこれらを混在して収容することはできない。したがって、従来はそれぞれのサービスを別々にＳＯＮＥＴ／ＳＤＨフレームに収容している。
【００２８】
一方、イーサネット（Ｒ）フレームをＳＯＮＥＴ／ＳＤＨに収容するためには、ＩＴＵ−Ｔ勧告Ｇ．　７０４１で規定されているＧＦＰを使用することができる。このＧＦＰはイーサネット（Ｒ）フレームのＳＯＮＥＴ／ＳＤＨフレームへの収容のためばかりではなく、ＩＰパケットの収容にも適用することができる。
【００２９】
一般に、ＧＦＰはバイト構造を持ちさえすれば、どのような信号の収容にも適用可能である。そこで、ＧＦＰをイーサネット（Ｒ）フレームやＩＰパケットのＳＯＮＥＴ／ＳＤＨへの収容に限らず、ＡＴＭセルのＳＯＮＥＴ／ＳＤＨへの収容にも使用する。このようにすることによって、ＡＴＭサービスを、ＩＰサービス、イーサネット（Ｒ）サービスと同時にＳＯＮＥＴ／ＳＤＨに収容することが可能になり、さらにはＳＯＮＥＴ／ＳＤＨの同一のパスに混在収容することも可能になる。
【００３０】
尚、本実施例の説明では、ＳＯＮＥＴ／ＳＤＨへの収容例について述べたが、他のフレーム、例えばＩＴＵ−Ｔ勧告Ｇ．　７０９で規定されているＯＴＮ（Ｏｐｔｉｃａｌ　Ｔｒａｎｓｐｏｒｔ　Ｎｅｔｗｏｒｋ）フレームに各種サービスを混在収容する場合にも適用することができる。
【００３１】
このように、本実施例では、ＡＴＭサービスを、ＩＰサービスやイーサネット（Ｒ）サービスと同様に、ＧＦＰフレームを介してＳＯＮＥＴ／ＳＤＨフレームに収容しているので、ＡＴＭサービスをＳＯＮＥＴ／ＳＤＨ中に、ＩＰサービス、イーサネット（Ｒ）サービスと同時に収容することができる。
【００３２】
また、本実施例では、ＡＴＭサービスを、１本のＳＯＮＥＴ／ＳＤＨのパス中に、ＩＰサービス、イーサネット（Ｒ）サービスと混在収容することができる。
【００３３】
さらに、本実施例では、ＩＰサービス、イーサネット（Ｒ）サービス、ＡＴＭサービスの収容の割合が変動しても、ＡＴＭセル転送装置における変更が不要であり、装置の置き換えをせずに、そのままサービスを継続することができる。
【００３４】
【発明の効果】
以上説明したように本発明のＡＴＭ通信装置は、ＩＰパケットと、ＬＡＮフレームと、ＡＴＭセルとをＧＦＰフレームを介してＳＯＮＥＴ／ＳＤＨフレームに収容することによって、ＩＰサービスやイーサネット（Ｒ）サービスといった他のサービスとＡＴＭサービスとを所定フレームに同時に収容することができるという効果が得られる。
【００３５】
また、本発明の他のＡＴＭ通信装置は、ＩＰパケットと、ＬＡＮフレームと、ＡＴＭセルとをＧＦＰフレームを介してＯＴＮフレームに収容することによって、ＩＰサービスやイーサネット（Ｒ）サービスといった他のサービスとＡＴＭサービスとを所定フレームに同時に収容することができるという効果が得られる。
【図面の簡単な説明】
【図１】本発明の一実施例によるＡＴＭ通信装置の構成を示すブロック図である。
【図２】本発明の一実施例によるＳＯＮＥＴ／ＳＤＨフレームの構成を示す図である。
【図３】従来例によるＳＯＮＥＴ／ＳＤＨフレームの構成を示す図である。
【符号の説明】
１　ＡＴＭ通信装置
１１〜１３　ＧＦＰ収容手段
１４　ＳＯＮＥＴ／ＳＤＨ収容手段
１０１〜１０３　ポート
【図１】
2004048210.tif 000003
【図２】
2004048210.tif 000004
【図３】
2004048210.tif 000005